(57)【要約】【課題】作業工数を抑制して低コストで防虫効果を発揮できること。【解決手段】虫除け舗装システム１０は、側面に凸部１１ａを有するブロック１１を歩行面に敷き詰め、この敷き詰められたブロック１１の上方へ気化防虫剤１２を発散させる構成となっている。即ち、ブロック１１の凸部１１ａ同士を突き合わせ、この付き合わせた凸部１１ａが底面となる溝１３が連通して形成されたブロック列１１Ｌと、溝１３に嵌合され、気化防虫剤１２を発散する貫通孔１５ａを所定間隔で有するチューブ１５とを備える。更に、防虫剤供給機２０の開口を有する箱部２３の内部に防虫剤を気化させて発散する防虫剤保持容器２４を配置し、気化した防虫剤（気化防虫剤）１２を送風機２２でチューブ１５内に送り込んで、貫通孔１５ａから放出させるようにした。【選択図】図１
2020101064.tif 000002
【特許請求の範囲】
【請求項１】
側面に凸部を有するブロックを歩行面に敷き詰め、この敷き詰められたブロック上方へ防虫剤を発散させる虫除け舗装システムにおいて、
前記ブロックの凸部同士を突き合わせ、この付き合わせた凸部が底面となる溝が連通して形成されたブロック列と、
前記溝に嵌合され、前記防虫剤を発散する貫通孔を所定間隔で有するチューブと
を備えることを特徴とする虫除け舗装システム。
【請求項２】
開口を有する箱の内部に気化する防虫剤が配置され、当該気化した防虫剤を送風機で前記チューブ内に送り込む防虫剤供給機
を更に備えることを特徴とする請求項１に記載の虫除け舗装システム。
【請求項３】
液体状の防虫剤が入った容器からポンプで前記チューブ内に当該防虫剤を送り込む防虫剤供給機
を更に備えることを特徴とする請求項１に記載の虫除け舗装システム。
【請求項４】
前記ブロックは、他のブロックの側面に設けられた凸部に嵌る凹部を、自ブロックの凸部と反対側の側面に備える
ことを特徴とする請求項１〜３の何れか１項に記載の虫除け舗装システム。
【発明の詳細な説明】
【技術分野】
【０００１】
本発明は、舗装道路や舗装広場等の歩行面に蚊等の虫が寄り付かないようにすることが可能な虫除け舗装システムに関する。
【背景技術】
【０００２】
従来、ブロックを敷き詰めたり、アスファルト又はコンクリート等を形成したりして舗装が行なわれた舗装道路や舗装広場においては、蚊等の虫が寄り付き人が刺されることが見受けられる。この場合、人に不快感を与えたり、病気を誘発したりするといった悪影響を及ぼすことがある。これは、舗装道路等の近隣に、公園や広場等の草木が生い茂った場所がある場合、特に温かな季節において曇り等で薄暗い環境下や、夕方以降の夜間帯等において発生し易い。
【０００３】
そこで、舗装道路等の上に防虫剤を撒いて虫が寄り付かないようにする手法がある。
例えば、特許文献１に記載のように、舗装道路等の舗装体の表層部に、防虫成分を保持させた浸透用セメントミルクや透水性樹脂モルタルを塗布して虫が寄り付かないようにする技術がある。この技術によれば、舗装道路や舗装広場において、蚊等の虫が寄り付かず人が虫に刺されることを抑制する防虫効果が得られる。
【先行技術文献】
【特許文献】
【０００４】
【特許文献１】特開２０１２−２０７４６７号公報
【発明の概要】
【発明が解決しようとする課題】
【０００５】
しかし、上述したように舗装道路等の上に防虫剤を撒くだけの場合、舗装道路上の防虫剤が、人の歩行や、雨風等の気候条件で除去され易いので、人が頻繁に防虫剤を撒く必要がある。このため、作業工数が掛かってコスト高となる問題があった。
【０００６】
特許文献１の技術においても、舗装体の表層部に保持させた浸透用セメントミルクや透水性樹脂モルタルの防虫成分が、風や雨、更には太陽の熱等の気候条件に応じて、徐々に蒸発及び除去される。このため、防虫剤を撒くだけの場合よりも長持ちするが、それでも短期間に防虫効果を発揮できなくなる。そこで、人が頻繁に防虫成分を塗布したり、浸透用セメントミルクや透水性樹脂モルタルを剥がし、新たに、防虫成分含有の浸透用セメントミルクや透水性樹脂モルタルを塗布したりする作業が必要となる。このため、作業工数が掛かってコスト高となる問題があった。
【０００７】
本発明は、このような背景に鑑みてなされたものであり、作業工数を抑制して低コストで防虫効果を発揮できる虫除け舗装システムを提供することを課題とする。
【課題を解決するための手段】
【０００８】
前記した課題を解決するため、請求項１に記載の発明は、側面に凸部を有するブロックを歩行面に敷き詰め、この敷き詰められたブロック上方へ防虫剤を発散させる虫除け舗装システムにおいて、前記ブロックの凸部同士を突き合わせ、この付き合わせた凸部が底面となる溝が連通して形成されたブロック列と、前記溝に嵌合され、前記防虫剤を発散する貫通孔を所定間隔で有するチューブとを備えることを特徴とする虫除け舗装システムである。
【０００９】
この構成によれば、ブロックの凸部同士を突き合わせることで、一定の幅と深さの溝を容易に形成できる。また、各々が簡単な構成の凸部を有するブロックと、貫通孔を有するチューブとを組み合わせて、虫除け舗装システムを構成できるので、容易に低コストで構成できる。また、チューブの貫通孔から防虫剤を大気へ発散できるので、人手による広範囲の歩行面への防虫剤の補給が不要となる。このため、作業工数を抑制して低コストで防虫効果を発揮できる。
【００１０】
請求項２に係る発明は、開口を有する箱の内部に気化する防虫剤が配置され、当該気化した防虫剤を送風機で前記チューブ内に送り込む防虫剤供給機を更に備えることを特徴とする請求項１に記載の虫除け舗装システムである。
【００１１】
この構成によれば、簡単な構成の防虫剤供給機を更に組み合わせて、虫除け舗装システムを構成できるので、容易に低コストで構成できる。また、送風機を起動させるだけで、自動的にチューブの貫通孔から気化防虫剤１２を大気へ放出できるので、人手による広範囲の歩行面への防虫剤の補給が不要となる。このため、作業工数を抑制して低コストで防虫効果を発揮できる。
【００１２】
請求項３に係る発明は、液体状の防虫剤が入った容器からポンプで前記チューブ内に当該防虫剤を送り込む防虫剤供給機を更に備えることを特徴とする請求項１に記載の虫除け舗装システムである。
【００１３】
この構成によれば、簡単な構成の防虫剤供給機を更に組み合わせて、虫除け舗装システムを構成できるので、容易に低コストで構成できる。また、ポンプを駆動させるだけで、自動的にチューブの貫通孔から液化防虫剤を大気へ放出できるので、人手による広範囲の歩行面への防虫剤の補給が不要となる。このため、作業工数を抑制して低コストで防虫効果を発揮できる。
【００１４】
請求項４に係る発明は、前記ブロックは、他のブロックの側面に設けられた凸部に嵌る凹部を、自ブロックの凸部と反対側の側面に備えることを特徴とする請求項１〜３の何れか１項に記載の虫除け舗装システムである。
【００１５】
この構成によれば、歩行面にブロック列を当該ブロック列以外のブロックに割り込ませて敷き詰める場合に、ブロックの凸部を他のブロックの凹部に嵌め合わせて強固に組み合わせられるので、ブロック全体を強固に敷き詰めることができる。
【発明の効果】
【００１６】
本発明によれば、作業工数を抑制して低コストで防虫効果を発揮できる虫除け舗装システムを提供することが可能となる。
【図面の簡単な説明】
【００１７】
【図１】本発明の実施形態に係る虫除け舗装システムの構成を示す断面及び斜視図である。
【図２】（ａ）は図１のＡ−Ａ断面図、（ｂ）は図１のＢ−Ｂ断面図である。
【図３】本実施形態の変形例に係る虫除け舗装システムの構成を示す断面及び斜視図である。
【発明を実施するための形態】
【００１８】
以下、本発明の実施形態を、図面を参照して説明する。
＜実施形態の構成＞
図１は本発明の実施形態に係る虫除け舗装システムの構成を示す断面及び斜視図である。
図１に示す虫除け舗装システム（システムともいう）１０は、道路や広場等の歩行面に砕石１４を介してブロック１１を敷き詰め、この敷き詰められたブロック１１の上方へ気化した防虫剤（気化防虫剤）１２を、自動的に発散（又は放出）させる仕組みとなっている。この仕組みのシステム１０は、溝１３を有するブロック列１１Ｌと、溝１３に嵌合されたチューブ１５と、チューブ１５の基端に取り付けられた防虫剤供給機２０とを備えて構成されている。
【００１９】
ブロック１１は、直方体形状を成し、この長手方向の平行な側面の一面に凸部１１ａ、他面に凹部１１ｂを有している。通常では、ブロック１１の凸部１１ａを隣り合うブロック１１の凹部１１ｂに嵌め込んで組み合わせ、この組み合されるブロック１１を歩行面に敷き詰めて舗装を行う。
【００２０】
なお、上述した凸部１１ａ及び凹部１１ｂを有するブロック１１は、一般に目地キープ付ブロックと呼ばれている。この他、目地キープ付ブロックとしては、直方体形状の少なくとも１側面以上に１つ以上の凸部のみを有する構造のものがある。
【００２１】
本実施形態では、ブロック１１の凸部１１ａ同士を突き合わせ、この付き合わされた凸部１１ａの上面が底面となる溝１３を形成し、この溝１３を連通させて配列したブロック１１の列（ブロック列）１１Ｌを構成する。このブロック列１１Ｌを、上記歩行面に敷き詰められるブロック群の所定位置に割り込むように配置する。ブロック列１１Ｌは、歩行面が例えば歩道であれば、歩道の幅方向に所定間隔で且つ溝１３が歩道の通路方向に延びるように配置する。但し、ブロック列１１Ｌは、凹凸部の無い通常のブロックが敷き詰められた舗装の所定位置に割り込むように配置してもよい。
【００２２】
溝１３には、所定間隔で貫通孔１５ａを有する定流量型のチューブ１５が挿入され、この挿入されたチューブ１５がピン１６により所定間隔で固定されている。貫通孔１５ａは、図１のＢ−Ｂ断面を示す図２（ｂ）に示すように、チューブ１５の径方向に対称位置に開口しており、一方の貫通孔１５ａが上側に位置するようにチューブ１５を溝１３に配置する。
【００２３】
次に、図１のＡ−Ａ断面を示す図２（ａ）に示すように、コ字形状のピン１６を、チューブ１５の上から跨って差し込んだ後、ピン１６の両側の先端部を、突き合う双方の凸部１１ａに突き刺してチューブ１５を固定する。
【００２４】
なお、図２（ａ）では、チューブ１５の径を溝１３の幅よりも小さく示してあるが、溝１３の幅よりもやや大きい径のチューブを用い、このチューブを溝１３内に押し付けて嵌合してもよい。この場合も、チューブをピン１６で更に固定することが好ましい。
【００２５】
チューブ１５には、例えば、植物に水を一定量供給できるアンノンドリップチューブを用いる。つまり、チューブ１５は、図２（ｂ）に示すように、貫通孔１５ａを含む所定長さの位置に一定量の水や気体を放出する定流量機能部１５ｂを内蔵している。この定流量機能部１５ｂによって、貫通孔１５ａから一定量の水や気体を放出可能となっている。このため、後述のように気化防虫剤１２をチューブ１５内に流しても、貫通孔１５ａから一定量の気化防虫剤１２を放出できる。
【００２６】
防虫剤供給機２０は、箱型の一側面の開口に網２１が張られた箱部２３と、箱部２３の内部に配置された複数の防虫剤保持容器２４と、箱部２３の網２１の反対側の側面に取り付けられた送風機２２とを備えて構成されている。送風機２２の排気口には、中空状のダクト２５を介してチューブ１５の基端が固定されている。
【００２７】
防虫剤保持容器２４は、給電加熱等により内部に保持した防虫剤が気化し、箱部２３の内部に気化防虫剤１２が溜まるようになっている。この状態で送風機２２を起動させると、気化防虫剤１２がダクト２５を介してチューブ１５へ送り込まれ、貫通孔１５ａから大気へ放出される。この放出された気化防虫剤１２が歩行面上で拡散するので草叢等から虫が寄って来ない防虫効果が発揮される。
【００２８】
但し、防虫剤保持容器２４からの給電加熱等による防虫剤の気化や、気化送風機２２の起動は、虫の多い時間帯等にタイマ（図示せず）でオンさせて行ってもよい。なお、防虫剤保持容器２４は、これと同様な機能のものが既製品として存在する。
【００２９】
＜実施形態の効果＞
以上説明した実施形態の虫除け舗装システム１０は、側面に凸部１１ａを有するブロック１１を歩行面に敷き詰め、この敷き詰められたブロック１１の上方へ気化防虫剤１２を発散させるものであり、次のような特徴構成とした。
【００３０】
ブロック１１の凸部１１ａ同士を突き合わせ、この付き合わせた凸部１１ａが底面となる溝１３が連通して形成されたブロック列１１Ｌと、溝１３に嵌合され、気化防虫剤１２を発散（放出）する貫通孔１５ａを所定間隔で有するチューブ１５とを備える。更に、防虫剤供給機２０の開口を有する箱部２３の内部に防虫剤を気化させて発散する防虫剤保持容器２４を配置し、気化した防虫剤（気化防虫剤）１２を送風機２２でチューブ１５内に送り込んで、貫通孔１５ａから放出させるようにした。
【００３１】
この構成によれば、ブロック１１の凸部１１ａ同士を突き合わせることで、一定の幅と深さの溝を容易に形成できる。また、各々が簡単な構成の凸部１１ａを有するブロック１１と、貫通孔１５ａを有するチューブ１５と、防虫剤保持容器２４を有する防虫剤供給機２０とを組み合わせて、虫除け舗装システム１０を構成できるので、容易に低コストで構成できる。また、送風機２２を起動させるだけで、自動的にチューブ１５の貫通孔１５ａから気化防虫剤１２を大気へ放出できるので、人手による広範囲の歩行面への防虫剤の補給が不要となる。このため、作業工数を抑制して低コストで防虫効果を発揮できる。
【００３２】
＜実施形態の変形例＞
図３は、本実施形態の変形例の虫除け舗装システム１０Ａの構成を示す断面及び斜視図である。
虫除け舗装システム１０Ａが、図１に示した虫除け舗装システム１０（図１）と異なる点は、防虫剤供給機２０に代え、防虫剤供給機３０を用いたことにある。
【００３３】
防虫剤供給機３０は、内部に液化防虫剤３２が貯留された箱部３３と、箱部２３の一側面に取り付けられたポンプ３４とを備えて構成されている。ポンプ３４の吐出口には、中空状のダクト２５を介してチューブ１５の基端が固定されている。ポンプ３４を駆動させると、箱部３３内の液化防虫剤３２がダクト２５を介してチューブ１５へ送り込まれ、貫通孔１５ａから大気へ霧状等に放出される。この放出された液化防虫剤３２が歩行面上で拡散するので草叢等から虫が寄って来ない防虫効果が発揮される。但し、ポンプ３４の駆動は、虫の多い時間帯等にタイマでオンさせて行ってもよい。
【００３４】
この構成によれば、前述したブロック１１と、チューブ１５と、簡易構成の液化防虫剤３２を有する防虫剤供給機３０とを組み合わせて、虫除け舗装システム１０Ａを構成できるので、容易に低コストで構成できる。また、ポンプ３４を駆動させるだけで、自動的にチューブ１５の貫通孔１５ａから液化防虫剤３２を大気へ放出できるので、人手による広範囲の歩行面への防虫剤の補給が不要となる。このため、作業工数を抑制して低コストで防虫効果を発揮できる。
【００３５】
また、上記虫除け舗装システム１０，１０Ａにおいては、ブロック１１を、他のブロック１１の側面に設けられた凸部１１ａに嵌る凹部１１ｂを、自ブロック１１の凸部１１ａと反対側の側面に備える構成とした。
【００３６】
この構成によれば、歩行面にブロック列１１Ｌを当該ブロック列１１Ｌ以外のブロック１１に割り込ませて敷き詰める場合に、ブロック１１の凸部１１ａを他のブロックの凹部１１ｂに嵌め合わせて強固に組み合わせられるので、ブロック１１全体を強固に敷き詰めることができる。
【００３７】
この他、ブロック敷き以外のアスファルトやコンクリート等の他の舗装では、舗装表面にグルービング工法で溝を形成し、溝にチューブ１５を嵌合すればよい。
【００３８】
以上、本発明の実施形態について図面を参照して詳細に説明したが、本発明はこれに限定されるものではなく、発明の主旨を逸脱しない範囲で適宜変更可能である。
【符号の説明】
【００３９】
１０，１０Ａ  虫除け舗装システム
１１  ブロック
１１ａ  凸部
１１ｂ  凹部
１１Ｌ  ブロック列
１２  気化防虫剤
１３  溝
１５  チューブ
１５ａ  貫通孔
１６  ピン
２０，３０  防虫剤供給機
２１  網
２２  送風機
２３，３３  箱部
２４  防虫剤保持容器
２５  ダクト
３２  液化防虫剤
【図１】
2020101064.tif 000003
【図２】
2020101064.tif 000004
【図３】
2020101064.tif 000005